(57)【要約】      （修正有）【課題】パンや鳥の丸焼きなどのオーブン料理、その他、魚・ハム等の燻製料理等を実施するバーベキュウ用コンロを提供する。【解決手段】コンロ釜（１）の正面に、コンロ釜（１）下部に引き出し（８）を設けるための窓（２ａ）を有した窓付き正面板（２）を付設する。コンロ釜（１）の背面と両側面に、背面板（３）と右側面板（４）と左側面板（５）を付設する。窓付き正面板（２）、背面板（３）、右側面板（４）と左側面板（５）のそれぞれの底辺に接する底面板（６）を付設する。さらに、背面板（３）の外側の面に、食材および食器等を収納可能な隙間を有する開閉オーブン室ができうる扉（７）を、蝶番（７ａ）を用いて付設する。窓付き正面板（２）の窓（２ａ）より、食材食器等を収納可能なオーブン室（１０）を有する引き出し（８）を付設する。  【選択図】  図１
2006141933.tif 000002
【特許請求の範囲】
【請求項１】
バーベキュウ用のコンロ釜の底面下部に、食材または食器を収納可能なオーブン室を有した引き出しを設けたことと、当該コンロ釜の側面に、側面より隔接され、且つ、食材または食器等を収納可能なオーブン室を有した開閉可能な扉を設けたことと、引き出し内部の温度を示すことが可能な温度計を備えたことを特徴とする温度計を備えたオーブン機能を有する引き出しと扉の付いたバーベキュウ用コンロ。
【発明の詳細な説明】
【技術分野】
【０００１】  屋外または屋内にてバーベキュウをするレジャー分野において、加熱源に炭等を用い野菜や肉・パン等の食材を調理する温度計を備えたオーブン機能を有する引き出しと扉の付いたバーベキュウ用コンロに関する。
【背景技術】
【０００２】  従来、バーベキュウ用コンロとしては種々の構造のものがあり、梱包・運搬の便宜のためコンロ本体および脚部を切り離すことが可能でコンパクトに収納できうるもの、また、炭等の火お越し様に送風機を備えつけたものなどがある。
【発明の開示】
【発明が解決しようとする課題】
【０００３】  これは次のような欠点があった。
イ．従来からのバーベキュウ用コンロの調理器具は、金網や鉄板等を用いるのみであり、    その調理手段は、焼く、煮るなどの調理方法に限られていた。
ロ．そのため焼肉や野菜を調理することは出来ても、パン・ナン・ピザ・グラタン等のオ    ーブン料理等を料理することは困難であった。
ハ．また、グリル料理、鳥の丸焼き料理、蒸し料理を作成することも困難であった。
【課題を解決するための手段】
【０００４】  以上の課題を解決するために、コンロ釜の底面下部に食材または食器を収納可能な空間を有した引き出しを設け、当該コンロ釜の背面の外側に、食材または食器を収納可能な空間を有した開閉可能な扉を設ける。また、引き出しの正面に、引き出し内部の温度を管理する温度計を設置するための小穴を設け、小穴より温度計を挿入し温度表示部を引き出し外部に露出させる。引き出しの内部空間は、コンロ釜底面から発する輻射熱を集めることからオーブン機能を発揮することとなる。また、同様に当該コンロ釜背面とコンロ釜背面の外側に設置した扉との隙間空間も、コンロ釜背面からの輻射熱を一定時間保持することから、コンロ釜背面と扉との隙間空間はオーブン機能を有することとなる。引き出しに設置された温度計は、引き出し内部の温度を管理できることから、パンや肉料理等細かな温度管理の必要なオーブン料理を作成する際に効果がある。
本発明は、以上の構成よりなる温度計を備えたオーブン機能を有する引き出しと扉の付いたバーベキュウ用コンロである。
【発明の効果】
【０００５】  本発明によれば、バーベキュウ用コンロ釜に炭等を設置し火を熾し、炭より発した熱はコンロ釜の正面、背面、側面と底面を温めることとなる。底面を暖めた熱は拡散することなくコンロ釜の下部に備え付けた引き出しの内部の空気を暖めることとなり、また、背面を暖めた熱は、背面と扉の間の空気を暖めることとなり扉内側の空間も引き出し内部空間同様オーブン機能を発揮することとなり、引き出しの内部と扉内側に食材または食器等を投入しオーブン料理を楽しむことが可能となる。また引き出しに設けた温度計によりオーブン室の温度を管理できることから調理温度管理が重要なパンや鳥の丸焼きなどのオーブン料理も生焼けや炭化などの調理ミスを防止することが可能となる。
【発明を実施するための最良の形態】
【０００６】  以下、この本発明の好ましい一実施の形態を説明する。
（イ）Ｕ字型に形成されたコンロ釜（１）の正面に、コンロ釜（１）の下部に食材または      食器を投入可能な大きさを有した引き出し（８）を収納することが可能な高さと、      引き出し（８）を挿入するための窓（２ａ）を有した、窓付き正面板（２）を付設      する。
（ロ）Ｕ字型に形成されたコンロ釜（１）の背面に、コンロ釜（１）の下部に（イ）同様      引き出し（８）を収納することが可能な高さを有した背面板（３）を付設する。
（ハ）（ロ）同様に、Ｕ字型に形成されたコンロ釜（１）の両側面に、コンロ釜（１）の      下部に引き出し（８）を収納することが可能な高さを有した、右側面板（４）と左      側面板（５）をそれぞれ付設する。
（ニ）次に、窓付き正面板（２）、背面板（３）、右側面板（４）と左側面板（５）のそ      れぞれの底辺に接する底面板（６）を付設する。
（ホ）さらに、背面板（６）の外側に、食材および食器等を収納可能な隙間を有する開閉      オーブン室（１１）ができうる扉（７）を、蝶番（７ａ）を用いて付設する。
（ヘ）窓付き正面板（２）の窓（２ａ）より、食材食器等を収納可能なオーブン室（１０      ）を有した引き出し（８）を、コンロ釜（１）下部へ収納する。
（ト）引き出し（８）の正面に、温度計（９）を設置するための小穴（９ａ）を設け、そ      の小穴（９ａ）より温度計（９）を設置する。
本発明は、以上の構成よりなる。【０００７】  本発明の構成材質は、限定されないが熱や錆に強い金属部品で構成されることが望ましい。【０００８】  本発明を使用する際の熱源は、特に限定されないが炭、薪、カセットガスボンベ、その他燃料でも本発明の主旨を逸脱しない。【０００９】  本発明の大きさは、縦、横、高さ、および厚さは共に一部の大きさ、長さに限定されず、また、その形状も限定されず、円形、楕円、直方体等も本発明の主旨を逸脱しないが、転倒などの危険もあり水平方面から見て、その形状は安定した台形が望ましい。【００１０】  食材を収納するオーブン室（１０）と外部とを接する面は、窓（２ａ）のみが望ましいが、調理中の熱、煙、水蒸気などを円滑に廃棄するために右側面板（４）、左側面板（５）や背面板（３）に開け閉め可能な窓を設けるとなお良い。【００１１】  コンロ釜（１）の上部に炭を入れて火熾する際に、外部からの空気が入り易いよう右側面板（４）、左側面板（５）に、それぞれ右換気口（４ａ）と左換気口（５ａ）を設けると本発明の調理熱発生の助けとなる。【００１２】  背面板（３）の外側の面に、開閉可能な扉（７）を付設する場合、蝶番（７ａ）を用いて付設することが望ましいが、蝶番（７ａ）以外にビスや丸ネジなどを用いて扉（７）を開閉することができれば他のいかなる方法でも本発明の主旨を逸脱しない。【００１３】  本発明の使用時は、底面板（６）下部も高温になるため耐熱性材料で構成された台座等、または、アルミパイプ等材料にて作成された脚・柱をコンロ本体（１２）に施してして使用する。【００１４】  実際の使用方法は、コンロ本体（１２）のコンロ釜（１）上部より炭等を入れて火を熾し、その上部に金網または鉄板等を設置して肉、野菜等を調理する。【００１５】  同時に引き出し（８）内部のオーブン室（１０）に、あらかじめ準備したパン生地やピザ等の食材を載せて、引き出し（８）を、窓付き正面板（２）の窓（２ａ）よりコンロ本体（１２）内部に収納する。炭火等の発した熱は、コンロ釜（１）の底面を暖め、暖められた熱はオーブン室（１０）の空気を暖め、その熱によりパンや、ピザが料理できることとなる。【００１６】  同様に、オーブン室（１０）に燻ったさくらチップなどと、生魚、ゆで卵、ハムソーセージなどの食材を入れて調理すれば燻製料理を作成することが可能となる。【００１７】    また、背面板（３）と背面板（３）に付設した開閉可能な扉（７）との間の開閉オーブン室（１１）に、ピザや小麦粉などを水で練ったナンを収納し、開閉可能な扉（７）を背面板（３）側に倒し、背面板（３）より発する輻射熱にてピザやナンを調理することが可能となる。【００１８】  Ｕ字型に形成されたコンロ釜（１）の底面は平面形状が好ましいが、背丈を有する食材または食器を円滑にオーブン室（１０）へ挿入する目的にて、コンロ釜（１）の底面をかまぼこ型、逆Ｖ字型等の形状に形成しても本発明の主旨を逸脱しない。【００１９】  温度計は、引き出し（８）に設置することが望ましいが、窓付き正面板（２）、右側面板（４）、左側面板（５）や背面板（３）に設置しても本発明の主旨を逸脱しない。【００２０】  また、温度計（９）の温度を示す構成素材は、バイメタル式を利用したものが最も好ましいが、水銀等の液体素材等を用いた他の如何なる温度計を用いても、オーブン室（１０）の温度を示すものであれば本発明の主旨を逸脱しない。【００２１】    背面板（３）の外側の面に開閉可能な扉（７）を付設し、開閉オーブン室（１１）を設けることが望ましいが、右側面板（４）や左側面板（５）の外側に扉（７）を付設しても本発明の主旨を逸脱しない。【００２２】  オーブン室（１０）の温度を管理するために温度計（９）を設置することが望ましいが、料理の種類によっては厳格な温度管理を必要としない場合もあり、温度計（９）を布設することなく使用しても本発明品の主旨を逸脱しない。【００２３】「実施発明の効果」
本発明のオーブン室（１０）と開閉オーブン室（１１）を使用することによって、従来のバーベキュウ用コンロでは困難であったパン、ピザ、ナン等のオーブン料理、その他蒸しパンや、鳥の丸焼き、魚やハム等燻製料理をすることが可能であり、また、その調理中にコンロ釜上部に鉄板や網等を設置し、肉や野菜の炭火焼き料理を同時に調理することができる。
【図面の簡単な説明】
【００２４】
【図１】  本発明のコンロ本体（１２）の斜視図
【図２】  本発明のコンロ本体（１２）の分解斜視図
【図３】  図１の線Ｘａ−Ｘｂに沿った縦断面図
【図４】  図１の線Ｙａ−Ｙｂに沿った横断面図
【図５】  本発明の引き出し（８）と温度計（９）の斜視図
【図６】  図５の線Ｚａ−Ｚｂに沿った縦断面図
【符号の説明】
【００２５】        １      コンロ釜
２      窓付き正面板
２ａ    窓
３      背面板
４      右側面板
４ａ    右換気口
５      左側面板
５ａ    左換気口
６      底面板
７      扉
８      引き出し
９      温度計
９ａ    小穴
１０    オーブン室
１１    開閉オーブン室
１２    コンロ本体
【図１】
2006141933.tif 000003
【図２】
2006141933.tif 000004
【図３】
2006141933.tif 000005
【図４】
2006141933.tif 000006
【図５】
2006141933.tif 000007
【図６】
2006141933.tif 000008